(57)【特許請求の範囲】
【請求項１】
合成樹脂フイルム材から成形された容器本体(1)と該容器本体(1)にヒンジ(3)を介して折り返し自在に一体連結された蓋体(2)とからなる包装用容器において、前記容器本体(1)はその口部周縁に水平な面(11)と、この水平な面(11)から下方に折れ曲がった垂片(12)とを備え、前記蓋体(2)は前記容器本体(1)の水平な面(11)が面接する水平な段部(21)と、該段部(21)の外縁から上方に立ち上がる立上げ片(22)とを備え、この立上げ片(22)の内周面が前記容器(1)の口部外周面に嵌り込むように形成されており、前記垂片(12)の前記ヒンジ(3)に隣接する部分(12')が蓋体を閉じたときに前記立上げ片(22)の内周面に密接する角度で形成されており、前記蓋体(2)のヒンジ(3)から遠隔点にある立上げ片(22)の内面に複数の係合凹部(23)が設けられ、前記容器本体(1)の垂片(12)は屋根のような傾斜姿勢とし、蓋体(2)を閉じたときに蓋体の立上げ片(22)の内周面に圧迫されて内側に押し込められるような外形寸法で形成され、蓋体(2)を閉じたときに容器本体(1)の垂片(12)の先端部分が前記係合凹部(23)に強く係合するように構成されており、更に前記垂片(12)の先端に連なって、少し内側に入り込んだ垂直な連結片(13)を介して水平な鍔部(14)が設けられている包装用容器。
【請求項２】
前記係合凹部(23)が蓋体(2)の遊端側にある二つのコーナー部に形成されている請求項１に記載の包装用容器。
【請求項３】
前記係合凹部(23)が蓋体(2)の遊端側にある二つのコーナー部と、ヒンジ(3)に近い部分の左右の立上げ片(22)，(22)とに形成されている請求項１に記載の包装用容器。
【発明の詳細な説明】
【０００１】
【発明が属する技術分野】
本発明は、容器本体と蓋体とがヒンジを介して折り返し自在に一体成形された合成樹脂フイルム材製の包装容器に関するもので、主としてミニトマト、フルーツトマト、柑橘果実その他の生鮮果実類等の食品を収納して陳列販売する場合に使用される使い捨てタイプの軽量包装用容器に関するものである。
【０００２】
【従来の技術】
容器本体と蓋体とがヒンジを介して折り返し自在に一体成形された使い捨てタイプの合成樹脂フイルム製容器として鶏卵容器等に広く実施されている。この種の容器にあっては、蓋体の閉鎖姿勢を保持するのに、蓋体と容器本体の遊端縁部をホッチキスや熱融着、或いは接着テープ等で結合する手段がとられている。しかしこのような手段は工具やテープを必要とすると共に作業が面倒であるため、一部には蓋体と容器本体の遊端縁部に係合凹凸部を形成してこの凹凸部を嵌合させて閉蓋姿勢を保持させる構造のものがあった。
【０００３】
【発明が解決しようとする課題】
しかし、この種の包装用容器にあっては、素材自体が壁厚０．３mm程度の薄い合成樹脂フイルムから真空成形等によって成形されたものであるから、非常に柔軟であって係合凹凸部による嵌合力が弱く、しかも成形時における金型抜代の関係から嵌合凹凸部を大きく設定することができないので、嵌合力には限界があり確実に閉蓋姿勢を維持することが困難であった。
【０００４】
そこで本発明は、蓋体を容器本体に嵌合する際にはワンタッチで簡単に行うことができるものでありながら、閉蓋時にあっては強固な嵌合力で確実に閉蓋姿勢を保持することのできる合成樹脂フイルム製の包装用容器を提供することを主たる目的とするものである。
【０００５】
【課題を解決するための手段】
上記目的を達成する為に本発明では次のような技術的手段を講じた。即ち、本発明では、合成樹脂フイルム材から成形された容器本体１と該容器本体１にヒンジ３を介して折り返し自在に一体連結された蓋体２とからなる包装用容器において、前記容器本体１はその口部周縁に水平な面１１と、この水平な面１１から下方に折れ曲がった垂片１２とを備え、前記蓋体は前記容器本体の水平な面が面接する水平な段部２１と、該段部２１の外縁から上方に立ち上がる立上げ片２２とを備え、この立上げ片２２の内周面が前記容器１の口部外周面に嵌り込むように形成されており、前記垂片１２の前記ヒンジ３に隣接する部分１２’が蓋体を閉じたときに前記立上げ片２２の内周面に密接する角度で形成されており、更に蓋体２のヒンジ３から遠隔点にある立上げ片２２の内面に複数の係合凹部２３が設けられ、前記容器本体１の垂片１２は屋根のような傾斜姿勢とし、蓋体２を閉じたときに蓋体の立上げ片２２の内周面に圧迫されて内側に押し込められるような外形寸法で形成され、蓋体２を閉じたときに容器本体１の垂片１２の先端部分が前記係合凹部２３に強く係合するように構成されていて、更に前記垂片１２の先端に連なって、少し内側に入り込んだ垂直な連結片１３を介して水平な鍔部１４が設けられている構造とした。
【０００６】
【発明の実施の形態】
前記係合凹部２３は、蓋体２の遊端側にある二つのコーナー部に形成するのが好ましいが、これら二つのコーナー部の中間位置に形成することも可能である。またこれら係合凹部２３…に加えて立上げ片２２の他の部分にも係合凹部２３を適宜形成してもよい。
【０００７】
前記容器本体１の垂片１２は屋根のような傾斜姿勢とし、蓋体２を閉じたときに蓋体の立上げ片２２の内周面に圧迫されて内側に押し込められるような外形寸法で形成してある。これにより垂片１２の弾性反発力によって垂片１２の先端部分を強く係合凹部２３に係合させることができる。また同時に、閉蓋時に垂片１２の前記ヒンジ３に隣接する部分１２’が前記立上げ片２２の内周面に密接する角度で形成されているので、ヒンジ３部分での遊びが無くなって蓋体２の前記係合部分へのずれが確実に規制され、これにより垂片１２の弾性反発力によって垂片１２の先端部分を強く係合凹部２３に係合させることができる。また同時に、閉蓋時に垂片１２の前記ヒンジ３に隣接する部分１２’が前記立ち上げ片２２の内周面に密接する角度で形成されているので、ヒンジ３部分での遊びが無くなって蓋体２の前記係合部分へのずれが確実に規制され、これにより垂片１２の先端部分と係合凹部２３との係合姿勢を安定よく保持させることができる。
【０００８】
また、図４に示すように、前記容器本体１の垂片１２の先端に連なって、少し内側に入り込んだ垂直な連結片１３を介して水平な鍔部１４を設けて形成することも可能である。これにより垂片１２の下端部分の強度を高めてより安定した係合を達成することができる。
【０００９】
【実施例】
以下、本発明の構成を図１乃至図３に示した実施例に基づき説明する。図では本発明を食料品を収納するための容器に応用したものであって、薄い合成樹脂フイルム材から一体的に成形された容器本体１と該容器本体１にヒンジ３を介して折り返し自在に連結された蓋体２とからなる。前記容器本体１は、その口部周縁に水平な面１１と、この水平な面１１から下方に斜めに折れ曲がった垂片１２とを備えている。また前記蓋体２は、前記容器本体の水平な面１１が面接する水平な段部２１と、該段部２１の外縁から略垂直に立ち上がる立上げ片２２とを備え、この立上げ片２２の内周面が前記容器１の口部外周面、即ち垂片１２の先端部分を押し込みながら嵌り込むように形成されている。また立上げ片２２の上端には形態補強のための水平な鍔部２４が設けられている。
【００１０】
前記垂片１２の前記ヒンジ３に隣接する部分１２’が蓋体を閉じたときに前記立上げ片２２の内周面に密接する角度、即ち略垂直な角度で形成されている。更に蓋体２のヒンジ３から遠隔点にある立上げ片２２の内面、例えば図に示すように蓋体２の遊端側にある二つのコーナー部に係合凹部２３，２３が設けられ、蓋体２を閉じたときに容器本体１の垂片１２の先端部分が前記係合凹部２３に係合するように構成されている。本実施例では図１に示すようにヒンジ３に近づいた立上げ片２２の内面にも前記係合凹部２３が設けられている。
【００１１】
上記の容器において容器本体１に蓋体２を閉じると、容器本体１の垂片１２が蓋体２の立上げ片２２の内周面に圧迫されて内側に押し込められ、その弾性反発力によって図３に示すように垂片１２の先端部分が係合凹部２３に強く嵌合する。同時に、垂片１２の前記ヒンジ３に隣接する部分１２’が前記立上げ片２２の内周面に密接する角度で形成されていて両者が互いに面接するので、ヒンジ３部分での遊びが無くなって蓋体２の前記係合部分へのずれや変形等が確実に規制される。従って係合凹部２３が浅くても垂片１２の先端部分との係合姿勢を安定よく且つ確実に保持させることができる。また蓋体２を容器本体１に嵌め込む時に、容器本体１の垂片１２の先端部分が立上げ片２２の内周面に当たって内方向に逃げるので挿入がワンタッチで容易に行うことができる。
【００１２】
また本発明では、図４に示すように、前記容器本体１の垂片１２の先端に連なって、少し内側に入り込んだ垂直な連結片１３を介して水平な鍔部１４を設けて形成してもよい。これにより垂片１２の下端の係合部分の強度を高めてより安定した係合を達成することができる。
【００１３】
以上本発明の代表的と思われる実施例について説明したが、本発明は必ずしもこれらの実施例構造のみに限定されるものではない。例えば本発明の対象とする容器としては上記実施例で示した形態に限らず、鶏卵やその他の食品を収納する容器に適用することができる。また前記係合凹部２３は、実施例で示したように蓋体２の遊端側にある二つのコーナー部に形成するのが好ましいが、これら二つのコーナー部の中間位置に形成することも可能である。またこれら係合凹部２３…に加えて立上げ片２２の他の部分にも係合凹部２３を適宜形成してもよい。また、トマトや果実等の生鮮野菜や生鮮果実用の容器とする場合は、蓋体２の天板部分や容器本体１の側壁部分に換気用の孔を形成しても良い。その他本発明ではその構成要件を備え、かつ本発明の目的を達成し、下記の効果を奏する範囲内において適宜改変して実施できるものである。
【００１４】
【発明の効果】
以上のごとく本発明では、薄い合成樹脂フイルムで成形されたものでありながら、容器本体の垂片を屋根のような傾斜姿勢とし、蓋体を閉じたときに蓋体の立上げ片の内周面に圧迫されて内側に押し込められるような外形寸法で形成してあるので、垂片の弾性反発力によって垂片の先端部分を強く係合凹部に係合させることができ、更に、前記垂片の先端に連なって、少し内側に入り込んだ垂直な連結片を介して水平な鍔部を設けてあるので、殊に、強固な嵌合力が保持できて蓋体と容器本体との閉蓋姿勢を確実に保持することができると共に、蓋体を容器本体に対してワンタッチで簡単に嵌合させることができるといった効果がある。
【図面の簡単な説明】
【図１】本発明にかかる包装用容器の開蓋時の斜視図。
【図２】上記容器の開蓋時の中央断面図。
【図３】上記容器の閉蓋時の中央断面図。
【図４】本発明の他の実施例を示す図３同様の断面図。
【符号の説明】
１  容器本体
１１  水平な面
１２  垂片
１３  連結片
１４  鍔部
２  蓋体
２１  段部
２２  立上げ片
２３  係合凹部
３  ヒンジ
【図１】
0003749968.tif 000002
【図２】
0003749968.tif 000003
【図３】
0003749968.tif 000004
【図４】
0003749968.tif 000005